(57)【要約】【課題】商品の識別コードおよび数量についての入力作業の省力化を図る。【解決手段】識別コードＤｓｔｃが１つずつ記憶された複数のＮＦＣタグと通信するＮＦＣモジュール５と、操作キー４と、記憶部８と、処理部１０とを備えてハンドヘルドサイズに構成され、処理部１０は、ＮＦＣモジュール５を介してＮＦＣタグから識別コードを読み取るタグ読取処理、および操作キーに対する操作によって入力された数量を読み取った識別コードと共に識別コードに対応する商品についての商品情報として記憶部１０に記憶させる情報入力処理を実行し、操作キー４として、１回の操作で１個カウントアップさせる第１カウントキー、１回の操作で前記数量をｍ個（ｍは２以上の整数）カウントアップさせる第２カウントキー、および１回の操作で前記数量をｎ個（ｎはｍを超える整数）カウントアップさせる第３カウントキーを備えている。【選択図】図２
2013212912.tif 000002
【特許請求の範囲】
【請求項１】
複数の商品を識別する識別コードが１つずつ記憶された複数のＮＦＣタグとの間で通信可能なＮＦＣモジュールと、操作キーと、記憶部と、処理部とを備えて片手で操作可能なハンドヘルドサイズに構成され、
前記処理部は、前記ＮＦＣモジュールを介して前記複数のＮＦＣタグのうちの当該ＮＦＣモジュールに近接する１つのＮＦＣタグに記憶されている前記識別コードを読み取るタグ読取処理、および前記操作キーに対する操作によって入力された数量を当該読み取った識別コードと共に当該識別コードに対応する前記商品についての商品情報として前記記憶部に記憶させる情報入力処理を実行し、
前記操作キーとして、１回の操作で前記数量を１個カウントアップさせる第１カウントキー、１回の操作で前記数量をｍ個（ｍは２以上の整数）カウントアップさせる第２カウントキー、および１回の操作で前記数量をｎ個（ｎはｍを超える整数）カウントアップさせる第３カウントキーを備えている商品情報入力機能付き携帯端末。
【請求項２】
前記記憶部には、前記複数の商品のうちの少なくとも１つの商品についての前記識別コードが記憶され、
前記操作キーとして読取キーを備えると共に出力部を備え、
前記処理部は、前記読取キーに対する操作によって読み取り指示が入力されたときには、前記タグ読取処理を実行すると共に当該読み取った識別コードが前記記憶部に記憶されている前記識別コードに含まれているか否かを判別する種類判別処理を実行し、当該読み取った識別コードが前記記憶されている識別コードに含まれているときには前記出力部に対して出力制御を行うと共に前記情報入力処理を実行する請求項１記載の商品情報入力機能付き携帯端末。
【請求項３】
外部機器と通信可能な通信Ｉ／Ｆ部を備えると共に、前記操作キーとしてテンキーを備え、
前記処理部は、前記テンキーに対する操作によって前記商品についての発注数量が入力されたときには、前記識別コードおよび当該発注数量を前記通信Ｉ／Ｆ部に出力して前記外部機器に送信させる発注処理を実行する請求項１または２記載の商品情報入力機能付き携帯端末。
【請求項４】
前記出力部は音出力部を含んで構成され、
前記処理部は、前記読み取った識別コードが前記記憶されている識別コードに含まれているときには、前記出力制御を実行して、前記音出力部から確認音を出力させる請求項２または３記載の商品情報入力機能付き携帯端末。
【請求項５】
前記出力部はバイブレータを含んで構成され、
前記処理部は、前記読み取った識別コードが前記記憶されている識別コードに含まれているときには、前記出力制御を実行して、前記バイブレータを作動させて発生させた振動を出力させる請求項２から４のいずれかに記載の商品情報入力機能付き携帯端末。
【請求項６】
前記記憶部には、前記識別コードに対応する前記商品の画像が記憶され、
前記出力部は表示部を含んで構成され、
前記処理部は、前記読み取った識別コードが前記記憶されている識別コードに含まれているときには、前記出力制御を実行して、当該読み取った識別コードに対応する前記商品の画像を前記表示部に出力させる請求項２から５のいずれかに記載の商品情報入力機能付き携帯端末。
【発明の詳細な説明】
【技術分野】
【０００１】
本発明は、商品の識別コードを読み取ると共に、その商品の数量を入力可能な商品情報入力機能付き携帯端末に関するものである。
【背景技術】
【０００２】
この種の商品情報入力機能付き携帯端末として、下記特許文献１に開示された棚卸システムで使用される携帯端末装置が知られている。この携帯端末装置（以下、「携帯端末」ともいう）は、インターネットへのアクセス機能、および２次元バーコードを読み取り可能なカメラ機能を備えている。この場合、２次元バーコードが記録されたバーコードラベルは、倉庫内に配置された棚（収納棚）の各段に収納される商品に対応付けられて、この対応付けられた商品が収納される棚の位置に貼り付けられている。
【０００３】
この携帯端末を使用した棚卸作業では、作業者は、棚の前に行き、携帯端末の入力キーを操作して、携帯端末のカメラ機能を動作させることにより、一つの商品の商品情報としての２次元バーコードを携帯端末に読み取らせる。これにより、携帯端末は、管理装置と通信可能となり、この商品の商品情報としての棚卸数量を入力可能な棚卸数量入力画面を受信するための依頼情報を管理装置に送信する。
【０００４】
管理装置は、この携帯端末から受信した依頼情報に基づいて、依頼のあった商品に関する棚卸数量入力画面を携帯端末に送信する。作業者は、携帯端末の入力キー（具体的にはテンキー）を操作して、この商品の在庫数（棚卸数量）を入力する。携帯端末は、入力された棚卸数量を管理装置に送信する。管理装置は、携帯端末から受信したこの棚卸数量を依頼のあった商品に対応づけて自身の記憶部に記憶させる。以下、この一つの商品と同様にして、作業者は、他の商品についても上記した一連の作業を実行する。これにより、管理装置の記憶部には、棚に収納されている各商品の在庫数が記憶される。
【０００５】
この携帯端末を使用して上記の棚卸作業を行うことで、各商品の在庫数量の携帯端末への入力作業に誤りが無ければ、誤った在庫数量がコンピュータ内の在庫台帳に記憶されることがない。このため、作業者はこの入力作業に対してのみ注意して棚卸作業すればよいため、棚卸作業の信頼性を向上させることが可能となっている。
【先行技術文献】
【特許文献】
【０００６】
【特許文献１】特開２００８−２４７４９７号公報（第３−４頁、第１図）
【発明の概要】
【発明が解決しようとする課題】
【０００７】
ところが、上記した携帯端末には、以下のような解決すべき課題が存在している。すなわち、この携帯端末では、携帯端末自体のカメラ機能を利用して、バーコードラベルに記録されている２次元バーコードを読み取っているが、２次元バーコードを誤りなく読み取るためには、携帯端末のレンズがバーコードラベルの真上に位置し、かつその光軸がバーコードラベルに対して垂直になるように携帯端末を配置し、しかもバーコードラベルに影ができないようにして、２次元バーコードを撮影する必要がある。また、バーコードラベルに汚れが付着しているときには、読み取りエラーの発生する可能性が高いために、付着している汚れを予め拭き取る必要がある。このため、この携帯端末には、商品の２次元バーコード（つまり、識別コード）を読み取るのに手間がかかるという解決すべき課題が存在している。この課題は、レーザースキャン方式のバーコード読取機能を備えた携帯端末においても存在する。また、上記の携帯端末は、携帯端末自体に備えられているテンキーを使用して数量を入力する必要があるが、この構成では、複数のキーの中からカウントした数量を示す数値キーを選択して１つずつ押下する必要があり、また入力ミスの発生の確率も高くなることから、再入力の頻度も高くなる可能性もあり、結果として、数量の入力に手間が掛かるという課題も存在している。
【０００８】
本発明は、かかる課題を解決すべくなされたものであり、商品情報としての商品の識別コードおよび数量についての入力作業の省力化を図り得る商品情報入力機能付き携帯端末を提供することを主目的とする。
【課題を解決するための手段】
【０００９】
上記目的を達成すべく請求項１記載の商品情報入力機能付き携帯端末は、複数の商品を識別する識別コードが１つずつ記憶された複数のＮＦＣタグとの間で通信可能なＮＦＣモジュールと、操作キーと、記憶部と、処理部とを備えて片手で操作可能なハンドヘルドサイズに構成され、前記処理部は、前記ＮＦＣモジュールを介して前記複数のＮＦＣタグのうちの当該ＮＦＣモジュールに近接する１つのＮＦＣタグに記憶されている前記識別コードを読み取るタグ読取処理、および前記操作キーに対する操作によって入力された数量を当該読み取った識別コードと共に当該識別コードに対応する前記商品についての商品情報として前記記憶部に記憶させる情報入力処理を実行し、前記操作キーとして、１回の操作で前記数量を１個カウントアップさせる第１カウントキー、１回の操作で前記数量をｍ個（ｍは２以上の整数）カウントアップさせる第２カウントキー、および１回の操作で前記数量をｎ個（ｎはｍを超える整数）カウントアップさせる第３カウントキーを備えている。
【００１０】
また、請求項２記載の商品情報入力機能付き携帯端末は、請求項１記載の商品情報入力機能付き携帯端末において、前記記憶部には、前記複数の商品のうちの少なくとも１つの商品についての前記識別コードが記憶され、前記操作キーとして読取キーを備えると共に出力部を備え、前記処理部は、前記読取キーに対する操作によって読み取り指示が入力されたときには、前記タグ読取処理を実行すると共に当該読み取った識別コードが前記記憶部に記憶されている前記識別コードに含まれているか否かを判別する種類判別処理を実行し、当該読み取った識別コードが前記記憶されている識別コードに含まれているときには前記出力部に対して出力制御を行うと共に前記情報入力処理を実行する。
【００１１】
また、請求項３記載の商品情報入力機能付き携帯端末は、請求項１または２記載の商品情報入力機能付き携帯端末において、外部機器と通信可能な通信Ｉ／Ｆ部を備えると共に、前記操作キーとしてテンキーを備え、前記処理部は、前記テンキーに対する操作によって前記商品についての発注数量が入力されたときには、前記識別コードおよび当該発注数量を前記通信Ｉ／Ｆ部に出力して前記外部機器に送信させる発注処理を実行する。
【００１２】
また、請求項４記載の商品情報入力機能付き携帯端末は、請求項２または３記載の商品情報入力機能付き携帯端末において、前記出力部は音出力部を含んで構成され、前記処理部は、前記読み取った識別コードが前記記憶されている識別コードに含まれているときには、前記出力制御を実行して、前記音出力部から確認音を出力させる。
【００１３】
また、請求項５記載の商品情報入力機能付き携帯端末は、請求項２から４のいずれかに記載の商品情報入力機能付き携帯端末において、前記出力部はバイブレータを含んで構成され、前記処理部は、前記読み取った識別コードが前記記憶されている識別コードに含まれているときには、前記出力制御を実行して、前記バイブレータを作動させて発生させた振動を出力させる。
【００１４】
また、請求項６記載の商品情報入力機能付き携帯端末は、請求項２から５のいずれかに記載の商品情報入力機能付き携帯端末において、前記記憶部には、前記識別コードに対応する前記商品の画像が記憶され、前記出力部は表示部を含んで構成され、前記処理部は、前記読み取った識別コードが前記記憶されている識別コードに含まれているときには、前記出力制御を実行して、当該読み取った識別コードに対応する前記商品の画像を前記表示部に出力させる。
【発明の効果】
【００１５】
請求項１記載の商品情報入力機能付き携帯端末では、片手で操作可能なハンドヘルドサイズに構成されると共に、ＮＦＣタグとの間で通信可能なＮＦＣモジュールと、各カウントキーと、タグ読取処理および情報入力処理を実行する処理部とを備えている。
【００１６】
したがって、この商品情報入力機能付き携帯端末によれば、ＮＦＣモジュールを使用することにより、携帯端末が傾いた状態でＮＦＣタグにかざされたとしても、またＮＦＣタグに影ができていたとしても、ＮＦＣモジュールが近接する１つのＮＦＣタグと正常に通信を行って、ＮＦＣタグに記憶されている商品情報としての識別コードを確実に１回で読み取ることができるため、従来の２次元バーコードをカメラで読み取る構成とは異なり、２次元バーコードラベルに影ができないように配慮しつつ、２次元バーコードラベルに対して携帯端末を正確に位置決めしてかざすという作業を不要にすることができる。これにより、ＮＦＣタグに記憶されている識別コードを確実に、しかも短時間に読み取ることができる結果、商品情報（識別コード）の入力作業の省力化を図ることができる。
【００１７】
また、各カウントキーを操作することで、商品情報としての商品の数量を１個単位、ｍ個単位またはｎ個単位でカウントアップさせることができるため、商品の数量をすべてカウントした後に総量を商品の数量としてテンキーを操作して入力する方法と比較して、カウント中の商品の数量を暗算しつつ記憶する作業や、カウント途中の数量を一定数ずつ紙にメモする作業を不要にすることができる。このため、計算間違いや、商品をどこまでカウントしたかが分からなくなるといった事態の発生を確実に防止することができ、商品の数量を正確に、しかも短時間で入力することができる結果、商品情報（商品の数量）の入力作業の一層の省力化を図ることができる。
【００１８】
請求項２記載の商品情報入力機能付き携帯端末によれば、処理部は、種類判別処理を実行して、ＮＦＣタグから読み取った識別コードが記憶部に記憶されている識別コードに含まれているときには出力部に対して出力制御を行うため、数量をカウントしようとしている商品が商品情報の入力対象商品であるか否かを確実に認識することができる。このため、情報入力の対象商品以外の商品の数量を誤ってカウントするという無駄な作業の発生を確実に防止することができる結果、商品情報の入力作業のさらなる省力化を図ることができる。
【００１９】
請求項３記載の商品情報入力機能付き携帯端末によれば、発注処理についても可能な構成を採用したことにより、商品の数量のカウント作業から商品の発注作業までを連続して行うことができるため、商品情報の入力作業および発注作業の全体についても省力化することができる。
【００２０】
請求項４記載の商品情報入力機能付き携帯端末によれば、処理部は、種類判別処理の結果、ＮＦＣタグから読み取った識別コードが記憶部に記憶されている識別コードに含まれているときには、出力制御を実行して、音出力部から確認音を出力させるため、数量をカウントしようとしている商品が商品情報の入力対象商品であることを作業者に確実に認識させることができる。
【００２１】
請求項５記載の商品情報入力機能付き携帯端末によれば、処理部は、種類判別処理の結果、ＮＦＣタグから読み取った識別コードが記憶部に記憶されている識別コードに含まれているときには、出力制御を実行して、バイブレータを作動させて発生させた振動を出力させるため、携帯端末を片手で保持する作業形態と相俟って、騒音下（周囲音の大きな環境下）においても、数量をカウントしようとしている商品が商品情報の入力対象商品であることを作業者に確実に認識させることができる。
【００２２】
請求項６記載の商品情報入力機能付き携帯端末によれば、処理部は、種類判別処理の結果、ＮＦＣタグから読み取った識別コードが記憶部に記憶されている識別コードに含まれているときには、表示部に商品の画像を表示させるため、読み取ったＮＦＣタグの位置に収納されている商品と、表示された画像とを見比べて、収納されている商品がＮＦＣタグに記憶されている識別コードに対応する商品（商品情報の入力対象商品）であるか否かについてもチェックすることができるため、商品情報の入力作業の精度を向上させることができる。
【図面の簡単な説明】
【００２３】
【図１】商品情報入力機能付き携帯端末１の外観図である。
【図２】商品情報入力機能付き携帯端末１の構成図である。
【図３】商品Ａ１，Ａ２，・・・、商品Ｂ１，Ｂ２，・・・、商品Ｃ１，Ｃ２，・・・が収納された棚３１の正面図である。
【図４】商品情報入力機能付き携帯端末１の動作を説明するための説明図である。
【発明を実施するための形態】
【００２４】
以下、添付図面を参照して、商品情報入力機能付き携帯端末１の実施の形態について説明する。
【００２５】
まず、商品情報入力機能付き携帯端末（以下、単に「携帯端末」ともいう）１の構成について、棚卸作業において使用する例（棚卸用携帯端末として機能させる例）を挙げて説明する。
【００２６】
携帯端末１は、一例として、図１に示すように、片手で保持して操作可能な大きさ（ハンドヘルドサイズ）に形成されたケース２と、ケース２の表面に配設された表示部３および操作キー４と、ケース２の内部に配設された図２に示すＮＦＣモジュール５、音出力部６、バイブレータ７、記憶部８、通信Ｉ／Ｆ部９、処理部１０、電源部１１およびバッテリ１２を備えている。
【００２７】
ケース２は、一例として、外形が薄厚（約１ｃｍ程度）の直方体（偏平な直方体）に形成されて、図１に示すように、１つの表面（図１中の正面。以下、「正面２ａ」ともいう）には、表示部３と、操作キー４の一部を構成する後述の読取キー２１およびテンキー２２とが配設されて構成されている。一例として、表示部３、読取キー２１およびテンキー２２は、ケース２の正面２ａに、ケース２の一方の端部側（図１中の上端部側）からケース２の長手方向に沿ってこの順に配設されている。
【００２８】
表示部３は、一例として、ＬＣＤ（Ｌｉｑｕｉｄ  Ｃｒｙｓｔａｌ  Ｄｉｓｐｌａｙ）で構成されて、出力部として機能する。操作キー４は、一例として、１つの読取キー２１、テンキー２２、およびカウントキー（本例では一例として、第１〜第３カウントキー２３，２４，２５の３つキー）で構成されている。テンキー２２は、図１に示すように、「１」〜「０」の数値キーと、パワーキー（「ＰＷＲ」と表示されているキー）と、クリアキー（「ＣＬＲ」と表示されているキー）とを備え、後述する棚卸数量Ｎｓｔ（商品情報の１つ）をそのまま処理部１０に入力する際に使用される。
【００２９】
一方、各カウントキー２３，２４，２５は、図１に示すように、携帯端末１を正面（ケース２の正面２ａ）から見たときに、ケース２の右側の側面２ｂに、ケース２の一方の端部側（図１中の上端部側）からこの順で一列に配設されている。また、各カウントキー２３，２４，２５は、同図に示すように、携帯端末１を左手で保持した状態において、主として左手の中指、薬指および小指で操作可能な右側の側面の位置に、操作可能な間隔で配設されている。この場合、第１カウントキー２３は、１回の操作で処理部１０に対して棚卸数量Ｎｓｔを１個だけカウントアップさせるためのキーであり、第２カウントキー２４は、１回の操作で処理部１０に対して棚卸数量Ｎｓｔを１０個（ｍ個の一例。ｍは２以上の整数）だけカウントアップさせるためのキーであり、第３カウントキー２５は、１回の操作で処理部１０に対して棚卸数量Ｎｓｔを１００個（ｎ個の一例。ｎはｍを超える整数）だけカウントアップさせるためのキーである。また、ケース２の正面２ａには、各カウントキー２３，２４，２５の機能を示すための「×１」、「×１０」、「×１００」の各文字が、各カウントキー２３，２４，２５の位置に対応させて表示されている。
【００３０】
なお、本例では、第２カウントキー２４の１回の操作でのカウントアップ数ｍは１０個に予め規定され、かつ第３カウントキー２５の１回の操作でのカウントアップ数ｎは１００個に予め規定されているが、後述するように、各カウントキー２４，２５のカウントアップ数ｍ，ｎを任意の個数に設定可能とする構成を採用することもできる。
【００３１】
ＮＦＣ（Ｎｅａｒ  Ｆｉｅｌｄ  Ｃｏｍｍｕｎｉｃａｔｉｏｎ）モジュール５は、一例として、アンテナ、および処理部１０とデータ通信を行う通信制御部（いずれも図示せず）を備えて構成されて、このアンテナがケース２の先端部側（図１中の上端部側。つまり、携帯端末１の先端部側）に位置するようにケース２内に配設されている。ＮＦＣモジュール５は、処理部１０によって制御されて、複数の商品を識別するための識別コード（商品情報の１つ）が１つずつ記憶された複数のＮＦＣタグとの間で通信を行うことで、各ＮＦＣタグに予め記憶されている識別コードを読み取る機能を備えている。音出力部６は、例えば、スピーカやブザーで構成されて、処理部１０によって制御されることで、出力部として機能して確認音を出力する。バイブレータ７は、処理部１０によって制御されて、出力部として機能して確認用振動を発生させる。
【００３２】
記憶部８は、例えば、ＲＯＭやＲＡＭなどの半導体メモリで構成されて、処理部１０のための動作プログラムが予め記憶されている。また、記憶部８には、この携帯端末１を使用して棚卸作業を実施すべきすべての商品の識別コードＤａｃｃが、商品名Ｄａｃｎ、帳簿在庫数Ｎａｃおよび商品の画像ＩＭａｃと共に記憶される。また、記憶部８には、ＮＦＣモジュール５がＮＦＣタグから読み取った識別コードＤｓｔｃ（同じ商品についての識別コードＤａｃｃと同一）、および操作キー４の操作によって入力された棚卸数量Ｎｓｔについても記憶される。
【００３３】
通信Ｉ／Ｆ部９は、例えば、イーサネット（登録商標）やＵＳＢやＢｌｕｅｔｏｏｔｈ（登録商標）などのインターフェース回路で構成されて、上記した識別コードＤａｃｃ、商品名Ｄａｃｎ、帳簿在庫数Ｎａｃおよび商品の画像ＩＭａｃの外部機器からの受信処理、並びに上記した識別コードＤｓｔｃおよび棚卸数量Ｎｓｔの外部機器への送信処理を実行する。この場合、外部機器とは、本例では、一例として、不図示の管理装置であって、この管理装置は、携帯端末１と不図示の通信回線網を介して接続されて、携帯端末１と共に棚卸システムを構成する。
【００３４】
処理部１０は、一例としてＣＰＵを有して構成されて、帳簿情報取得処理、タグ読取処理（商品情報である識別コードを入力する情報入力処理の１つ）、種類判別処理、棚卸数量入力処理（商品情報である棚卸数量を入力する情報入力処理の１つ）、および棚卸情報出力処理を実行する。また、処理部１０は、ＮＦＣモジュール５、音出力部６およびバイブレータ７に対する制御処理（出力制御）を実行する。
【００３５】
電源部１１は、外部から直流電圧を入力している状態において、表示部３、ＮＦＣモジュール５、音出力部６、バイブレータ７、記憶部８、通信Ｉ／Ｆ部９および処理部１０にこの直流電圧を供給しつつ、この直流電圧でバッテリ１２を充電する機能を有している。また、電源部１１は、外部から直流電圧が入力されていない状態において、バッテリ１２に充電されている直流電圧を上記した表示部３、ＮＦＣモジュール５、音出力部６、バイブレータ７、記憶部８、通信Ｉ／Ｆ部９および処理部１０に供給する機能を有している。
【００３６】
次に、携帯端末１の動作について説明する。なお、一例として、図３に示すように、棚卸対象商品（商品情報の入力対象商品）としての商品Ａ１，Ａ２，・・・、商品Ｂ１，Ｂ２，・・・、および商品Ｃ１，Ｃ２，・・・が棚３１の１段目、２段目および３段目にそれぞれ収納されているものとする。また、棚３１における各商品Ａ１，Ａ２，・・・、商品Ｂ１，Ｂ２，・・・、商品Ｃ１，Ｃ２，・・・の収納位置に対応する部位には、各商品Ａ１，Ａ２，・・・、商品Ｂ１，Ｂ２，・・・、商品Ｃ１，Ｃ２，・・・の識別コードが予め記憶され、かつ商品名が記載されたＮＦＣタグ４１ａ１，４１ａ２，・・・、ＮＦＣタグ４１ｂ１，４１ｂ２，・・・、ＮＦＣタグ４１ｃ１，４１ｃ２，・・・（以下、特に区別しないときには「ＮＦＣタグ４１」ともいう）が予め取り付けられているものとする。また、バッテリ１２は、電源部１１によって十分に使用可能な状態に充電されているものとする。
【００３７】
まず、作業者は、操作キー４のパワーキーを操作して、携帯端末１を起動させ、次いで、棚卸作業の準備として、上記の棚卸対象商品（商品Ａ１，Ａ２，・・・、商品Ｂ１，Ｂ２，・・・、および商品Ｃ１，Ｃ２，・・・）についての情報（各商品の識別コードＤａｃｃ、商品名Ｄａｃｎ、帳簿在庫数Ｎａｃおよび商品の画像ＩＭａｃ）を通信Ｉ／Ｆ部９を介して外部機器（管理装置）から処理部１０に入力する。この場合、携帯端末１では、通信Ｉ／Ｆ部９が、管理装置から送信された各商品の識別コードＤａｃｃ、商品名Ｄａｃｎ、帳簿在庫数Ｎａｃおよび商品の画像ＩＭａｃを受信して処理部１０に出力する。処理部１０は、帳簿情報取得処理を実行して、通信Ｉ／Ｆ部９を介して入力した各商品の識別コードＤａｃｃ、商品名Ｄａｃｎ、帳簿在庫数Ｎａｃおよび商品の画像ＩＭａｃを、商品毎に関連付けて記憶部８に記憶させる。これにより、棚卸作業の準備が完了する。
【００３８】
次いで、作業者は、携帯端末１を使用して、棚３１に収納されている各商品Ａ１，Ａ２，・・・、商品Ｂ１，Ｂ２，・・・、商品Ｃ１，Ｃ２，・・・についての棚卸作業を実施する。この際に、各商品Ａ１，Ａ２，・・・、商品Ｂ１，Ｂ２，・・・、商品Ｃ１，Ｃ２，・・・については、任意の順序で棚卸作業を実施することができるが、一例として、３段目の商品Ｃ１，Ｃ２，・・・、次いで、２段目の商品Ｂ１，Ｂ２，・・・、最後に、１段目の商品Ａ１，Ａ２，・・・という順序で棚卸作業を実施する場合を例に挙げて説明する。
【００３９】
作業者は、まず、図４に示すように、最初の商品Ｃ１についてのＮＦＣタグ４１ｃ１に携帯端末１を近づけて（ＮＦＣタグ４１ｃ１に携帯端末１をかざして）、この状態で読取キー２１を操作する。携帯端末１では、処理部１０が、読取キー２１に対する操作を検出し、タグ読取処理を実行する。このタグ読取処理では、処理部１０は、ＮＦＣモジュール５に対する制御を実行することによってＮＦＣタグ４１ｃ１と通信させて、ＮＦＣタグ４１ｃ１に記憶されている商品情報としての識別コードＤｓｔｃを読み取らせる。この場合、２次元バーコードをカメラで撮影する構成とは異なり、携帯端末１が図４に示すようにＮＦＣタグ４１ｃ１に対して傾いてかざされていたとしても、またＮＦＣタグ４１ｃ１に影ができていたとしても、ＮＦＣモジュール５はＮＦＣタグ４１ｃ１と正常に通信を行って、ＮＦＣタグ４１ｃ１に記憶されている識別コードＤｓｔｃを正確に読み取ることができる。また、この携帯端末１では、上記したようにＮＦＣモジュール５のアンテナが携帯端末１の先端部側に配設されることで、ＮＦＣタグ４１ｃ１が作業者から離れていたとしても、ＮＦＣモジュール５をＮＦＣタグ４１ｃ１に確実に近づけることが可能となっている。このため、処理部１０は、ＮＦＣタグ４１ｃ１に記憶されている識別コードＤｓｔｃを確実に読み取る（取得する）ことが可能となっている。
【００４０】
次いで、処理部１０は、種類判別処理を実行する。この種類判別処理では、処理部１０は、ＮＦＣタグ４１ｃ１から読み取った識別コードＤｓｔｃと、記憶部８に記憶されている各商品についての識別コードＤａｃｃとを比較して、識別コードＤｓｔｃと一致する識別コードＤａｃｃの有無を判別する。処理部１０は、一致する識別コードＤａｃｃがあるときには、携帯端末１をかざしたＮＦＣタグ４１ｃ１に対応する商品Ｃ１が棚卸対象商品であると判別して、音出力部６を制御して確認音で出力させると共に、バイブレータ７を制御して確認用振動を発生させることでこの判別結果を報知する。これにより、作業者は、商品Ｃ１が棚卸対象商品であること、または商品Ｃ１が棚卸対象商品でないことを確実に認識することができる。
【００４１】
さらに、本例の携帯端末１では、処理部１０は、読み出した識別コードＤｓｔｃが識別コードＤａｃｃのいずれかと一致すると判別したときには、上記した確認音および確認用振動での報知に代えて、または加えて（本例では、加えて）、図４に示すように、この識別コードＤａｃｃに対応する商品名Ｄａｃｎおよび画像ＩＭａｃを記憶部８から読み出して、表示部３に表示させることで報知する。これにより、作業者は、表示部３に表示されている商品名Ｄａｃｎ（この場合は「Ｃ１」）と、ＮＦＣタグ４１ｃ１に表示されている商品名（「Ｃ１」）とを対比して確認することができると共に、表示部３に表示されている商品の画像ＩＭａｃと棚３１に収納されている商品Ｃ１の外観とを対比して確認することができるため、商品Ｃ１が棚卸対象商品であることを一層確実に認識することができる。
【００４２】
作業者は、上記のようにして商品Ｃ１が棚卸対象商品であることを認識（確認）した後に、読取キー２１を操作する。この種類判別処理での読取キー２１に対する操作については、処理部１０は、作業者による棚卸対象商品の認識が完了したことを示す操作であるとして、種類判別処理を完了させ、棚卸数量入力処理に移行する。この棚卸数量入力処理では、処理部１０は、操作キー４を構成するテンキー２２、または各カウントキー２３，２４，２５に対する操作によって入力される数量を商品情報である棚卸数量Ｎｓｔとして入力して、記憶部８に記憶させる。
【００４３】
処理部１０が棚卸数量入力処理を開始している状態において、作業者は、商品Ｃ１の数量（棚卸数量Ｎｓｔ）をカウント（計数）する作業を実施する。この作業の際の棚卸数量Ｎｓｔの携帯端末１への入力方法として、この携帯端末１では、２通りの入力方法が可能となっている。
【００４４】
１つ目の方法は、操作キー４のうちの第１カウントキー２３、第２カウントキー２４および第３カウントキー２５を使用する方法である。商品の数量をカウントする際には、一定の数量単位でカウントする方法が一般的に行われているが、この方法において、第１カウントキー２３、第２カウントキー２４および第３カウントキー２５を併用する。これにより、作業者は、例えば、商品を１０個または１００個カウントする都度、第２カウントキー２４または第３カウントキー２５を１回操作することで、処理部１０に商品の数量を１０個単位、または１００個単位で入力する。また、１０個未満の商品の数量については、第１カウントキー２３をこの数量分だけ操作することで、処理部１０に入力する。
【００４５】
この方法では、棚卸数量Ｎｓｔを１個単位、１０個単位または１００個単位でカウントアップさせることができるため、すべての商品をカウントした後に商品の総量を棚卸数量Ｎｓｔとして入力する方法と比較して、カウント中の商品の数量を暗算しつつ記憶する作業や、カウント途中の数量を一定の数量ずつ紙等にメモする作業を不要にすることができるため、暗算による計算間違いや、視線を商品から一旦離すことが原因となって商品をどこまでカウントしたかが分からなくなるといった事態の発生を確実に防止することができ、商品の棚卸数量Ｎｓｔを正確に、しかも短時間で携帯端末１（つまり、処理部１０）に入力することが可能となっている。
【００４６】
さらに、この携帯端末１は、図１に示すように、片手（左手）で持ちながら、左手の中指、薬指および小指で各カウントキー２３，２４，２５を操作可能な構成（ハンドヘルド）である。このため、携帯端末１では、開いた右手と、左手の親指および人差し指とで、商品を例えば１０個単位または１００個単位でまとめながら商品の数量をカウントしつつ、この単位毎に携帯端末１に数量を入力することができるため、商品の棚卸作業についての作業効率を大幅に向上させることが可能となっている。また、この携帯端末１では、各カウントキー２３，２４，２５がカウント用の専用キーとして配設される構成のため、作業者による各カウントキー２３，２４，２５のブラインド操作も容易に可能となることから、棚卸作業の作業効率をより一層向上させることが可能となっている。
【００４７】
２つ目の方法は、操作キー４のうちのテンキー２２（具体的には、テンキー２２のうちの「１」〜「０」の数値キー）を使用する方法である。この方法では、商品の数量を暗算でカウントして、カウントが完了した時点で、カウントした商品の数量をテンキー２２を操作して入力する。
【００４８】
作業者は、商品Ｃ１の数量についてのカウント作業が終了したときには、読取キー２１を操作する。この棚卸数量入力処理での読取キー２１に対する操作については、処理部１０は、作業者による１つの商品の棚卸数量Ｎｓｔについてのカウント作業が完了したことを示す操作であるとして、カウントした商品Ｃ１の棚卸数量Ｎｓｔと、この商品Ｃ１の帳簿在庫数Ｎａｃとを表示部３に同時に表示させる。この場合、処理部１０は、棚卸数量Ｎｓｔおよび帳簿在庫数Ｎａｃの比較を行って、両者が相違しているときには、相違する旨を示すマークなどを表示部３に同時に表示させたり、棚卸数量Ｎｓｔの表示態様を帳簿在庫数Ｎａｃと一致しているときの表示態様（例えば、通常輝度で、かつ非ブリンク状態で表示される表示態様）とは異なる表示態様（例えば、高輝度での表示態様か、またはブリンク状態での表示態様か、またはその双方を併せた表示形態）にすることにより、棚卸数量Ｎｓｔが帳簿在庫数Ｎａｃと相違する旨を作業者に報知する。この場合には、作業者による棚卸数量Ｎｓｔのカウントに誤りがある可能性があることから、この報知により、作業者に対して商品Ｃ１の再カウントを促すことが可能となる。
【００４９】
作業者が商品Ｃ１の数量を数え直すときには、テンキー２２のクリアキーを操作する。処理部１０は、このクリアキーの操作が行われたときには、カウントした棚卸数量Ｎｓｔをクリア（ゼロに戻す）して、この商品Ｃ１についての棚卸数量入力処理を再度開始する。
【００５０】
なお、棚卸数量入力処理が再度実行された場合（商品Ｃ１の数量の数え直しが行われた場合）であっても、棚卸数量Ｎｓｔと帳簿在庫数Ｎａｃとが相違しているときには、作業者による棚卸数量Ｎｓｔのカウントは正しく行われたものの、何らかの原因によって棚３１の商品Ｃ１が紛失して棚卸数量Ｎｓｔが帳簿在庫数Ｎａｃと相違する状態になったと考えられる。このため、現状での棚卸数量Ｎｓｔを商品Ｃ１についての最終的な棚卸数量Ｎｓｔとして管理装置に通信する必要がある。この場合には、作業者は、テンキー２２のクリアキーに対する操作は行わずに、読取キー２１を操作する。この状態での読取キー２１に対する操作については、処理部１０は、作業者による１つの商品の棚卸数量Ｎｓｔについてのカウント作業が完了し、かつ作業者による商品Ｃ１の棚卸数量Ｎｓｔの確認作業が完了したことを示す操作であるとして、この商品Ｃ１についての棚卸数量Ｎｓｔを同じくこの商品Ｃ１の識別コードＤｓｔｃに対応させて記憶部８に記憶させて、現在の棚卸の対象となっている商品Ｃ１についての棚卸作業を終了して、新たな商品（本例では次の商品Ｃ２）の棚卸作業に移行する。
【００５１】
一方、処理部１０は、カウントした商品Ｃ１の棚卸数量Ｎｓｔと、この商品Ｃ１の帳簿在庫数Ｎａｃとを表示部３に表示させる際に、棚卸数量Ｎｓｔと帳簿在庫数Ｎａｃとが一致しているときには、上記した相違する旨のマークの表示部３への表示は行わず、また、棚卸数量Ｎｓｔの表示態様を帳簿在庫数Ｎａｃと一致しているときの表示態様（例えば、通常輝度で、かつ非ブリンク状態で表示される表示態様）で表示させる。
【００５２】
作業者は、この表示内容を確認したときには、商品Ｃ１の数量についてのカウント作業が正しく行われたと判断して、読取キー２１を操作する。この状態での読取キー２１に対する操作については、処理部１０は、作業者による１つの商品の棚卸数量Ｎｓｔについてのカウント作業が完了し、かつ作業者による商品Ｃ１の棚卸数量Ｎｓｔの確認作業が完了したことを示す操作であるとして、この商品Ｃ１についての棚卸数量Ｎｓｔをこの商品Ｃ１の識別コードＤｓｔｃに対応させて記憶部８に記憶させて、現在の棚卸の対象となっている商品Ｃ１についての棚卸作業を終了して、新たな商品（本例では次の商品Ｃ２）の棚卸作業に移行する。
【００５３】
また、処理部１０は、１つの商品についての棚卸作業が完了したときには、管理装置から受信した棚卸対象商品のなかに、棚卸作業の完了していない商品があるか否かを判別して、完了していない商品があるときには、その旨（例えば、完了していない商品の商品名Ｄａｃｎ）を表示部３に表示させる。これにより、作業者は、棚卸作業の行われていない商品の存在を認識することができるため、棚卸作業の行われていない商品が残るという事態の発生を未然に防止することが可能となっている。
【００５４】
その後、処理部１０は、上記した商品Ｃ１に対する棚卸作業のときと同様に作動して、残りの各商品Ｃ１，Ｃ２，・・・、商品Ｂ１，Ｂ２，・・・、商品Ａ１，Ａ２，・・・についての棚卸作業を実行する。これにより、記憶部８には、棚３１に収納されているすべての棚卸対象商品（商品Ａ１，Ａ２，・・・、商品Ｂ１，Ｂ２，・・・、商品Ｃ１，Ｃ２，・・・）についての棚卸数量Ｎｓｔが、識別コードＤｓｔｃに対応して記憶される。
【００５５】
上記したように、処理部１０は、１つの商品についての棚卸作業が完了し、かつ棚卸対象商品のなかに棚卸作業の完了していない商品があるときには、その旨を表示部３に表示させるが、１つの商品についての棚卸作業が完了し、かつ棚卸対象商品のなかに棚卸作業の完了していない商品がない（つまり、すべての棚卸対象商品の棚卸作業が完了した）ときには、その旨（例えば、「作業完了」の文字）を表示部３に表示させる。作業者は、この表示内容を確認したときには、読取キー２１を操作する。この状態での読取キー２１に対する操作については、処理部１０は、すべての棚卸対象商品についての棚卸作業が完了したことを作業者が確認したことを示す操作であるとして、棚卸情報出力処理を実行する。
【００５６】
この棚卸情報出力処理では、処理部１０は、記憶部８に記憶されているすべての棚卸対象商品についての棚卸数量Ｎｓｔを識別コードＤｓｔｃと共に読み出して、通信Ｉ／Ｆ部９に出力する。この場合、通信Ｉ／Ｆ部９は、送信処理を実行することにより、処理部１０から入力した各棚卸対象商品についての棚卸数量Ｎｓｔおよび識別コードＤｓｔｃを管理装置に送信する。これにより、棚３１に収納されているすべての商品についての棚卸作業が完了する。
【００５７】
このように、この携帯端末１は、片手で操作可能なハンドヘルドサイズに構成されると共に、ＮＦＣタグ４１との間で通信可能なＮＦＣモジュール５と、各カウントキー２３〜２５と、タグ読取処理および情報入力処理を実行する処理部１０とを備えている。
【００５８】
したがって、この携帯端末１によれば、ＮＦＣモジュール５を使用することにより、携帯端末１が傾いた状態でＮＦＣタグ４１にかざされたとしても、またＮＦＣタグ４１に影ができていたとしても、ＮＦＣモジュール５がＮＦＣタグ４１と正常に通信を行って、ＮＦＣタグ４１に記憶されている識別コードＤｓｔｃを確実に１回で読み取ることができるため、従来の２次元バーコードをカメラで読み取る構成とは異なり、２次元バーコードラベルに影ができないように配慮しつつ、２次元バーコードラベルに対して携帯端末を正確に位置決めしてかざすという作業を不要にすることができる。これにより、ＮＦＣタグ４１に記憶されている識別コードＤｓｔｃを確実に、しかも短時間に読み取ることができる結果、棚卸作業の省力化を図ることができる。
【００５９】
また、この携帯端末１によれば、各カウントキー２３，２４，２５を操作することで、棚卸を行っている商品の数量（棚卸数量Ｎｓｔ）を１個単位、１０個単位または１００個単位でカウントアップさせることができるため、商品の数量をすべてカウントした後に総量を棚卸数量Ｎｓｔとしてテンキー２２を操作して入力する方法と比較して、カウント中の商品の数量を暗算しつつ記憶する作業や、カウント途中の数量を一定数ずつ紙にメモする作業を不要にすることができる。このため、計算間違いや、商品をどこまでカウントしたかが分からなくなるといった事態の発生を確実に防止することができ、商品の棚卸数量Ｎｓｔを正確に、しかも短時間で入力することができる結果、棚卸作業の一層の省力化を図ることができる。
【００６０】
また、この携帯端末１では、処理部１０が、操作キー４の読取キー２１に対する操作によって読み取り指示が入力されたときには、ＮＦＣモジュール５に近接する１つのＮＦＣタグ４１から識別コードＤｓｔｃを読み取るタグ読取処理、および読み取った識別コードＤｓｔｃが記憶部８に記憶されている識別コードＤａｃｃ（棚卸対象商品の識別コード）に含まれているか否かを判別する種類判別処理を実行し、この識別コードＤｓｔｃが識別コードＤａｃｃに含まれているときには出力制御を実行してその旨を出力する（上記の携帯端末１では、音出力部６から確認音を出力させ、バイブレータ７から確認用振動を発生させ、表示部３に商品名Ｄａｃｎおよびその画像ＩＭａｃを表示させる）。
【００６１】
したがって、この携帯端末１によれば、ＮＦＣタグ４１から読み取った識別コードＤｓｔｃが識別コードＤａｃｃに含まれているときにはその旨が出力されるため、数量をカウントしようとしている商品が棚卸対象商品（商品情報の入力対象商品）であるか否かを確実に認識することができる。このため、棚卸対象商品以外の商品の数量を誤ってカウントするという無駄な作業の発生を確実に防止することができる結果、棚卸作業のさらなる省力化を図ることができる。
【００６２】
具体的には、この携帯端末１では、処理部１０は、種類判別処理の結果、ＮＦＣタグ４１から読み取った識別コードＤｓｔｃが識別コードＤａｃｃに含まれているときにはその旨を音出力部６から確認音として出力させて報知する。したがって、この携帯端末１によれば、数量をカウントしようとしている商品が棚卸対象商品であることを作業者に確実に認識させることができる。
【００６３】
また、この携帯端末１では、処理部１０は、種類判別処理の結果、ＮＦＣタグ４１から読み取った識別コードＤｓｔｃが識別コードＤａｃｃに含まれているときにはその旨をバイブレータ７から確認用振動を発生させて報知する。したがって、この携帯端末１によれば、携帯端末１を片手で保持する作業形態と相俟って、騒音下（周囲音の大きな環境下）においても、数量をカウントしようとしている商品が棚卸対象商品であることを作業者に確実に認識させることができる。
【００６４】
また、この携帯端末１では、処理部１０は、種類判別処理の結果、ＮＦＣタグ４１から読み取った識別コードＤｓｔｃが識別コードＤａｃｃに含まれているときには、表示部３に商品名Ｄａｃｎと共にその商品の画像ＩＭａｃを表示させる。したがって、この携帯端末１によれば、読み取ったＮＦＣタグ４１の位置に収納されている商品と、表示された画像ＩＭａｃとを見比べて、収納されている商品がＮＦＣタグ４１に記憶されている識別コードＤｓｔｃに対応する商品であるか否かについてもチェックすることができるため、棚卸作業の精度を向上させることができる。
【００６５】
また、この携帯端末１によれば、棚卸数量入力処理において入力した商品の棚卸数量Ｎｓｔと、記憶部８に記憶されている帳簿在庫数Ｎａｃとを比較して、一致していないときには、その旨を表示部３に表示する構成のため、棚卸数量Ｎｓｔのカウントに誤りがある可能性を作業者に報知することができる結果、棚卸作業の精度を一層向上させることができる。
【００６６】
なお、上記の携帯端末１では、各カウントキー２４，２５を操作することによってカウントアップさせる商品の数量（棚卸数量Ｎｓｔ）の単位が、カウントキー２４については１０個単位（ｍ個の一例）、カウントキー２５については１００個単位（ｎ個の一例）にそれぞれ予め規定されているが、ｍおよびｎの各数値を任意に規定する構成や、また予め規定された複数の数値の内から選択して規定する構成を採用することもできる。
【００６７】
例えば、カウント値設定処理を実行するように処理部１０を構成し、このカウント値設定処理において、処理部１０が、テンキー２２から最初に入力された数値をｍの数値として規定し、次いで入力された数値をｎの数値として記憶部８に記憶させる構成を採用することができる。また、他の構成として、カウント値設定処理において、処理部１０が、予め規定された複数の数値を表示部３に表示させ、この中から最初に選択された数値をｍの数値として規定し、次いで選択された数値をｎの数値として記憶部８に記憶させる構成を採用することもできる。この構成によれば、作業者が商品の数量をカウントし易い単位に任意に設定することができる。例えば、ダース単位で納品される商品については、１２個単位や、１２０個単位などのように、ダースを基準とした単位にすることで、商品の数量をより効率的にカウントすることが可能となる。
【００６８】
また、上記の携帯端末１では、棚卸情報出力処理において、処理部１０が、棚卸対象商品についての棚卸数量Ｎｓｔと識別コードＤｓｔｃとを管理装置に送信する構成を採用しているが、処理部１０のこの棚卸情報出力処理を発注処理としても機能させる構成を採用することもできる。この構成の一例としては、ＮＦＣモジュール５で読み取った識別コードＤｓｔｃに対応する商品についての発注数量をテンキー２２から入力するステップ、つまり、作業者が、各カウントキー２３，２４，２５に対する操作によってカウントした商品の上記の棚卸数量Ｎｓｔに基づいてこの商品の発注数量を決定し（例えば、商品毎に予め決まっている規定数量に対して棚卸数量Ｎｓｔが不足しているときには、その不足分を暗算で求めて発注数量として決定し）、この発注数量をテンキー２２から入力するステップを棚卸数量入力処理の中に追加する。この構成では、処理部１０は、棚卸数量入力処理において、棚卸数量Ｎｓｔと共にこの入力された発注数量を識別コードＤｓｔｃに対応させて記憶部８に記憶させる。また、処理部１０は、棚卸情報出力処理において、棚卸数量Ｎｓｔおよびこの発注数量を識別コードＤｓｔｃと共に管理装置に送信する。これにより、棚卸情報出力処理が発注処理としても機能する。
【００６９】
また、発注数量をテンキー２２から入力する上記のステップに代えて、処理部１０が帳簿在庫数Ｎａｃと棚卸数量Ｎｓｔとに基づいて発注数量を自動的に決定して、具体的には、帳簿在庫数Ｎａｃと棚卸数量Ｎｓｔとの差分（不足分）を発注数量として自動的に算出（決定）して、記憶部８に記憶させるステップを棚卸数量入力処理の中に追加する構成を採用し、処理部１０が、棚卸情報出力処理において、棚卸数量Ｎｓｔおよびこの発注数量を識別コードＤｓｔｃと共に管理装置に送信することにより、棚卸情報出力処理を発注処理として機能させる構成を採用することもできる。このようにして、発注処理についても可能な構成を採用することにより、各カウントキー２３，２４，２５を操作して商品の数量をカウントするカウント作業から商品の発注作業までを連続して行うことができるため、商品情報の入力作業および発注作業の全体についても省力化することができる。
【００７０】
また、上記の携帯端末１では、操作キー４にテンキー２２を設けて、商品の棚卸数量Ｎｓｔを「１」〜「０」の数値キーでそのまま入力可能とする構成を採用しているが、例えば、「１」〜「０」の数値キーを省いて、各カウントキー２３，２４，２５だけで棚卸数量Ｎｓｔを入力する構成を採用することもでき、この構成を採用することで、携帯端末１をより小型化することができる。
【００７１】
また、上記の携帯端末１では、棚卸作業の準備として、棚卸対象商品についての情報（各商品の識別コードＤａｃｃ、商品名Ｄａｃｎ、帳簿在庫数Ｎａｃおよび商品の画像ＩＭａｃ）をすべて外部機器（管理装置）から処理部１０に一括して入力する構成を採用しているが、例えば、各商品の識別コードＤａｃｃのみを入力しておき、上記の種類判別処理において、ＮＦＣタグ４１ｃ１から読み取った識別コードＤｓｔｃと一致する識別コードＤａｃｃが存在したときに、この識別コードＤａｃｃの棚卸対象商品についての他の情報（商品名Ｄａｃｎ、帳簿在庫数Ｎａｃおよび商品の画像ＩＭａｃ）を外部機器（管理装置）からその都度入力して記憶部８に更新記憶（既に記憶されている情報に、新たに入力した情報を上書きする）させる構成を採用することもできる。この構成を採用することにより、記憶部８の容量を低減することができ、製品コストを削減することができる。
【００７２】
また、上記の携帯端末１では、出力部として、表示部３、音出力部６およびバイブレータ７をすべて備える構成を採用しているが、表示部３、音出力部６およびバイブレータ７のうちの少なくとも１つを出力部として備える構成であればよく、表示部３、音出力部６およびバイブレータ７のうちの任意の１つ、または任意の２つを備える構成を採用することもできる。これらのいずれの構成を採用したとしても、数量をカウントしようとしている商品が棚卸対象商品であることを作業者に確実に認識させることができる。
【００７３】
また、携帯端末１を棚卸作業において使用する例（棚卸用携帯端末として機能させる例）について説明したが、この携帯端末１は、棚卸以外の他の用途における商品情報の入力作業でも使用することができるのは勿論である。
【００７４】
例えば、問屋や店などにおける在庫管理作業（入庫作業や出庫（払い出し）作業）にも携帯端末１を使用することができる。具体的には、最初に、棚に収納されている商品に対応するＮＦＣタグ４１に、携帯端末１や他の入力装置を使用して現在の在庫数を識別コードＤｓｔｃと共に記憶しておく。この状態において、商品の入庫作業や出庫（払い出し）作業の際には、まず、入庫や出庫する商品に対応する棚の位置に取り付けられているＮＦＣタグ４１に携帯端末１をかざし、処理部１０に対して、ＮＦＣモジュール５を介してＮＦＣタグ４１から在庫数と識別コードＤｓｔｃとを読み取らせる。次いで、各カウントキー２３，２４，２５を使用して商品の入庫数や出庫数を処理部１０に入力する。この際に、商品の入庫数や出庫数のカウントに各カウントキー２３，２４，２５を使用することにより、数量を正確にかつ迅速にカウントすることが可能となっている。
【００７５】
処理部１０は、予め読み取った在庫数に対して、入力された入庫数を加算したり、入力された出庫数を減算したりして、新たな在庫数を算出し、この新たな在庫数をＮＦＣタグ４１に記憶させる。これにより、商品に対応するＮＦＣタグ４１には、常に現時点での正確な在庫数が識別コードＤｓｔｃと共に記憶されるため、携帯端末１を使用して、商品の在庫管理作業を正確に、かつ手間を掛けずに行うことができる。なお、携帯端末１からＮＦＣタグ４１に在庫数および識別コードＤｓｔｃを記憶させる際に、商品についての期限情報（有効期限、使用期限、賞味期限、消費期限、交換期限、保管期限）を併せて記憶させることもでき、これにより、期限管理も可能となる。また、ＮＦＣタグ４１が近接して配設されている場合には、ＮＦＣモジュール５のアンテナの指向正を絞ることにより、確実に１つのＮＦＣタグ４１のみと通信する構成とすることもできる。
【符号の説明】
【００７６】
１  携帯端末
３  表示部
４  操作キー
５  ＮＦＣモジュール
６  音出力部
７  バイブレータ
８  記憶部
１０  処理部
Ａ１，Ａ２，Ｂ１，Ｂ２，Ｃ１，Ｃ２  商品
Ｄａｃｃ，Ｄｓｔｃ  識別コード
Ｎａｃ  帳簿在庫数
Ｎｓｔ  棚卸数量
【図１】
2013212912.tif 000003
【図２】
2013212912.tif 000004
【図３】
2013212912.tif 000005
【図４】
2013212912.tif 000006